(57)【要約】      （修正有）【課題】斜向スイングステッパーを提供する。【解決手段】本考案は、公知の垂直型ステッパー構造が、単一の腿部エクササイズしか出来ないことに対し改善を加え、ステッパーの足踏み動作は、斜向にスウィングして、腿部、臀部を同時にエクササイズすることができるような斜向スイングステッパーを提供することを目的とし、中空管１３内に穿設された対称状の傾斜接管、及び、中空管１３が、Y字型の支承構造をなしている外観設計に加え、Y字型支承上の分岐である傾斜接管を軸心とするため、ペダル前端の枢転管２４は、斜め下方にスウィングする設計で、シリンダ３０とベース柱１１１間にユニバーサルジョイントを設置し、ペダル２６が斜向スウィングする時、ペダル下端のシリンダ３０は、ユニバーサルジョイントにより、同方向のシフトが可能であり、斜向スウィングの力道を緩衝吸収して、シリンダ枢接構造の剛性破壊を防止する。【選択図】図１
0003107453.tif 000002
【実用新案登録請求の範囲】
【請求項１】
斜向スイングステッパーであって、主に、ステッパー本体からなり、前記本体底端前後に、支承用の台座を設置し、前端台座は、垂直にY字型支承を設置し、前記Y字型支承下端は、支承を固定する中空管で、上端は、前記中空管内に穿設された対称状の傾斜接管からなり、前記傾斜接管は、ステッパー構造に回転可能方式で枢設され、ステッパー構造のペダル底端と台座間は、ユニバーサルジョイントにより、シリンダを枢設し、且つ、前端下向けに、頂推構造を延伸し、
前記ペダルは外力を受ける時、Y字型支承の前記傾斜接管が軸心となって、斜向枢転すると共に、前記頂推構造が、前記中空管内に穿設された抵棒を頂推し、前記抵棒は、前記中空管のアーチ型スロット内で転動し、前記ペダルは、斜向スウィングを呈して往復し、前記シリンダと前記ベース柱間のユニバーサルジョイントにより、同時に斜向スウィングを呈する時、緩衝保護を達成することを特徴とする斜向スイングステッパー。
【請求項２】
前記シリンダ前端に設置された「コ」の字型フレームを備え、前記「コ」の字型フレーム開放端に、前記「コ」の字型フレームに適合するもう一つの「コ」の字型フレームを嵌設し、ねじとナットで、前記「コ」の字型フレームの径方向に穿入して、鎖固し、前記ペダルが斜向にスウィングできるユニバーサルジョイント構造を形成することを特徴とする請求項１に記載の斜向スイングステッパー。
【請求項３】
前記ペダル本体底端の支承用の台座は、前端の第一台座、後端の第二台座、及び、前記第一、及び、第二台座に垂直方向に連接されたベース柱のことであることを特徴とする請求項１に記載の斜向スイングステッパー。
【請求項４】
前記前端台座内に旋転ブロックを設置し、前記旋転ブロックに通孔を有して、前記中空管のアーチ型スロットを穿過する抵棒で穿設固定し、前記抵棒が外力を受ける時、前記旋転ブロックを帯動して転動させることを特徴とする請求項１、或いは、３に記載の斜向スイングステッパー。
【請求項５】
前記ペダル構造は、傾斜接管上に、テーパリング、第一、第二承接リング、C字型フック、T字型ビス、及び、一端がペダルに固接された枢転管、からなることを特徴とする請求項１に記載の斜向スイングステッパー。
【請求項６】
前記中空管上端に、測量装置を有する蓋体を備えることを特徴とする請求項１に記載の斜向スイングステッパー。
【請求項７】
前記中空管内に、ハンドルを有する握持機構を鎖固することを特徴とする請求項１に記載の斜向スイングステッパー。
【請求項８】
前記握持機構は、高度の調整が可能であることを特徴とする請求項７に記載の斜向スイングステッパー。
【考案の詳細な説明】
【技術分野】
【０００１】
本考案は、ステッパー健康器材に関するものであって、特に、ステッパーの足踏み方式の構造設計に関するものである。
【背景技術】
【０００２】
現在、運動器材は、体積が小さく、収納に便利で、空間を占拠せずに、腿部、臀部の運動が行えるステッパーが好まれている。
【０００３】
公知のステッパーは、台湾の公告第５８５１１６「ステッパーの改良構造」で開示されるように、上下垂直昇降方式により、腿部のエクササイズの目的を達成している。もう一つは、公告第５７１７８０の考案で開示されるように、左右垂直昇降方式により、腿部のエクササイズの目的を達成している。
【０００４】
上述のような、上下、及び、左右の足踏み方式の健康器具は、どれも、垂直昇降による太もものエクササイズを提供するもので、ステッパーを使用した運動を好む人（特に、女性）にとって、身体の中で、最も脂肪が堆積しやすい臀部や腰部をひねることで、脂肪を燃焼させる目的を達成できるものを必要としている。
【０００５】
従来の上下、及び、左右の足踏み方式のステッパーでは、消費者の要求を満たすことができず、業者により、米国特許第５６６５０３３号で開示されるような、新規のステッパー構造が開発された。この構造は、四角フレームの前端に、垂直に設置された、手部が握持する支承棒を備え、後端に、Y字型支承を形成し、Y字型支承の分岐点に、更に、転動可能なスリーブを設置し、スリーブ一端は、旋動可能なペダルを延設し、分岐点の最外端は、定位用の「人」字棒を設置して、ペダルの足踏み力道を強化する。ペダル前端と「人」字棒間に、シリンダを設け、ペダル後端と四角フレーム間に、気圧棒を枢設し、ペダルは、四つのシリンダに囲まれて構成される平行な軌道で、ペダルを下に踏む時に、上下スウィングするエクササイズ効果を達成する。
【０００６】
上述のステッパーは、Y字型支承及びシリンダを利用して、ステッパーの上下スウィングエクササイズ効果を達成するが、このようなステッパーには、以下のような欠点がある。
【０００７】
ステッパーを愛用する使用者は、ステッパーの小型、軽量、移動、収納性に期待するが、公知の上下垂直に足踏みするステッパーと異なり、その構造が複雑化し、体積も過大化し、構造素子のコストがかかり、移動時に不便であるという欠点がある。
【０００８】
上述から、ステッパーが、腿部と臀部のエクササイズができるスウィング式ペダルを有する構造下で、体積が小さく、収納が空間を占有しない上下垂直式ステッパーが必要とされている。
【特許文献１】特開２００４−１４１２９２号公報
【考案の開示】
【考案が解決しようとする課題】
【０００９】
本考案は、公知の垂直型ステッパー構造が、単一の腿部エクササイズしか出来ないことに対し改善を加え、ステッパーの足踏み動作は、斜向にスウィングして、腿部、臀部を同時にエクササイズすることができるような斜向スイングステッパーを提供することを目的とし、中空管内に穿設された対称状の傾斜接管、及び、中空管が、Y字型の支承構造をなしている外観設計に加え、Y字型支承上の分岐である傾斜接管を軸心とするため、ペダル前端の枢転管は、斜め下方にスウィングする設計で、シリンダとベース柱間にユニバーサルジョイントを設置し、ペダルが斜向スウィングする時、ペダル下端のシリンダは、ユニバーサルジョイントにより、同方向のシフトが可能であり、斜向スウィングの力道を緩衝吸収して、シリンダ枢接構造の剛性破壊を防止する。
【００１０】
本考案は、体積が小さく、収納に空間を占有しない垂直式ステッパーを基礎とし、本来の水平支承を、傾斜角度を有するY字型支承構造に変更して、ペダルの足踏み時に、斜向スウィングを可能にし、使用者が、腿部と臀部のエクササイズができるような斜向スイングステッパーを提供することをもう一つの目的とし、また、ステッパー自体が軽い特性を兼ね備え、米国特許で開示されたステッパーのスウィングを達成するために体積が過大で、構造が複雑になり、コストが高くなる問題を改善する。
【課題を解決するための手段】
【００１１】
本考案の斜向スイングステッパーは、中空管内に穿設された対称状の傾斜接管、及び、中空管が、Y字型の支承構造をなしている外観設計に加え、Y字型支承上の分岐である傾斜接管を軸心とするため、ペダル前端の枢転管は、斜め下方にスウィングする設計で、シリンダとベース柱間にユニバーサルジョイントを設置し、ペダルが斜向スウィングする時、ペダル下端のシリンダは、ユニバーサルジョイントにより、同方向のシフトが可能であり、斜向スウィングの力道を緩衝吸収して、シリンダ枢接構造の剛性破壊を防止する。
【００１２】
すなわち、本考案の斜向スイングステッパーは、請求項１に記載するように、
斜向スイングステッパーであって、主に、ステッパー本体からなり、前記本体底端前後に、支承用の台座を設置し、前端台座は、垂直にY字型支承を設置し、前記Y字型支承下端は、支承を固定する中空管で、上端は、前記中空管内に穿設された対称状の傾斜接管からなり、前記傾斜接管は、ステッパー構造に回転可能方式で枢設され、ステッパー構造のペダル底端と台座間は、ユニバーサルジョイントにより、シリンダを枢設し、且つ、前端下向けに、頂推構造を延伸し、
前記ペダルは外力を受ける時、Y字型支承の前記傾斜接管が軸心となって、斜向枢転すると共に、前記頂推構造が、前記中空管内に穿設された抵棒を頂推し、前記抵棒は、前記中空管のアーチ型スロット内で転動し、前記ペダルは、斜向スウィングを呈して往復し、前記シリンダと前記ベース柱間のユニバーサルジョイントにより、同時に斜向スウィングを呈する時、緩衝保護を達成することを特徴とする。
【００１３】
請求項２に記載するように、前記シリンダ前端に設置された「コ」の字型フレームを備え、前記「コ」の字型フレーム開放端に、前記「コ」の字型フレームに適合するもう一つの「コ」の字型フレームを嵌設し、ねじとナットで、前記「コ」の字型フレームの径方向に穿入して、鎖固し、前記ペダルが斜向にスウィングできるユニバーサルジョイント構造を形成することが好ましい。
【００１４】
請求項３に記載するように、前記ペダル本体底端の支承用の台座は、前端の第一台座、後端の第二台座、及び、前記第一、及び、第二台座に垂直方向に連接されたベース柱のことであることが好ましい。
請求項４に記載するように、前記前端台座内に旋転ブロックを設置し、前記旋転ブロックに通孔を有して、前記中空管のアーチ型スロットを穿過する抵棒で穿設固定し、前記抵棒が外力を受ける時、前記旋転ブロックを帯動して転動させることが好ましい。
【００１５】
請求項５に記載するように、前記ペダル構造は、傾斜接管上に、テーパリング、第一、第二承接リング、C字型フック、T字型ビス、及び、一端がペダルに固接された枢転管、からなることが好ましい。
請求項６に記載するように、前記中空管上端に、測量装置を有する蓋体を備えることが好ましい。
請求項７に記載するように、前記中空管内に、ハンドルを有する握持機構を鎖固することが好ましい。
請求項８に記載するように、前記握持機構は、高度の調整が可能であることが好ましい。
【考案の効果】
【００１６】
本考案により、使用者が、腿部と臀部のエクササイズができるような斜向スイングステッパーが提供される。
【考案を実施するための最良の形態】
【００１７】
本考案の「斜向スイングステッパー」は、図１、図２で示されるように、主に、前後端に、それぞれ、第一台座１０、及び、第二台座１１を設置するステッパー本体１からなり、第一台座１０と第二台座１１間に、ベース柱１１１を設けて、上向きの支承力を提供する。第一台座１０の中心位置に、転動ブロック（図示しない）を枢設するスペースを設け、転動ブロックは横向きで、貫通する通孔を有する。且つ、転動ブロック外縁には、第一台座１０と固定関係を呈する中空管１３を嵌接し、中空管１３は、転動ブロックの通孔位置に対応し、所定長さのアーチ型スロット１３１を設置する。アーチ型スロット１３１、通孔は、抵棒１４に横向きに貫通され、抵棒１４は外力を受ける時、アーチ型スロット１３１内で弧状に旋転シフトする。
【００１８】
この他、中空管１３のアーチ型スロット１３１上端の適当な箇所に、貫通孔１３２を設置し、貫通孔１３２は枢管１５により穿設され、枢管１５は、単一管体が湾折してなる、貫通孔１３２内に容置された水平棒１５１で、両端はそれぞれ、中空管１３を斜め方向に突出した対称な傾斜接管１５２を設け、傾斜接管１５２は、ステッパー構造が、旋転方式で相互に枢接できるようにする。
【００１９】
ステッパー構造は、傾斜接管１５２上に、テーパリング２１、第一、第二承接リング２２、２３、第一、第二承接リング２２、２３間の枢転管２４、及び、T字型ビス２７、からなり、第一、第二承接リング２２、２３と枢転管２４は、傾斜接管末端環溝内のC字型フック２５により固定される。
【００２０】
この他、ステップ構造は、枢転管２４と固設連動関係を呈するペダル２６を備え、ペダル２６底端の所定位置は、シリンダ３０一端と枢設され、シリンダ３０のもう一端は、ベース柱１１１と枢接されている。
【００２１】
ペダル２６と枢転管２４は、適当な箇所で相接されると共に、垂直下向けに、頂推構造を延伸し、頂推構造は、連接棒４１、及び、連接棒４１に固設された多辺形の頂推ブロック４２、からなり、最後に、中空管１３上端に測量装置（図示しない）の蓋体１３３を備えて、水滴が浸入して、中空管１３内部の量側装置がショートするのを防止する。
【００２２】
本考案の設計の主な特徴は、中空管１３内に穿設された枢管１５両端の傾斜接管１５２、及び、中空管１３が、Y字型の支承構造をなしているので、使用者は、ステッパー２６を踏む時、ペダル２６と固設連動関係を呈する枢転管２４が、Y字型支承上の分岐である傾斜接管１５２を軸心とするため、ペダル２６は斜め下方に旋転シフトし、この時、ペダル２６は、下端の頂推構造を帯動して、一緒にシフトし、頂推構造の頂推ブロック４２が、アーチ型スロット１３１の転動ブロックの通孔内に穿設された抵棒１４を頂推し、抵棒１４は、アーチ型スロット１３１の軌道円弧に従ってスウィングし、ペダル２６は、所定の円弧角度を呈して往復し、腿部や臀部をエクササイズする目的を達成する。
【００２３】
しかし、ペダル２６は、円弧角度を呈するスウィング設計で、公知の固結式のシリンダ３０構造のように、ペダル２６の円弧スウィングに伴って、同時にシフトを緩衝することができず、ペダルの斜向スウィング応力は、シリンダ３０上に集中して、シリンダ３０の構造が損壊する。
【００２４】
よって、本考案者は、斜向スウィングのステッパーのペダル２６に対し、好ましいシリンダ３０の構造設計を生み出し、図３で示されるように、ベース柱１１１とシリンダ３０間に、接続用のユニバーサルジョイントを設置し、ユニバーサルジョイント構造は、シリンダ３０前端に設置された「コ」の字型フレーム３１を備え、「コ」の字型フレーム３１の径方向に、貫通する径向孔３１１を有し、「コ」の字型フレーム３１の欠落部は、可動式で、「コ」の字型フレーム３１に適合するもう一つの「コ」の字型フレーム３２を嵌設し、「コ」の字型フレーム３２は軸方向に、軸向孔３２１を設置して、ベース柱１１１の一側から延伸した横棒１１１２を穿設し、更に、C字型の環形フック３３を、横棒１１１２の環形溝１１１３内に嵌入して、最後に、ねじとナットで、「コ」の字型フレーム３１の径向孔３１１上から穿入して鎖固し、シリンダ３０が左右に旋転可能なユニバーサルジョイント構造を形成する。
【００２５】
図４〜図６で示されるように、使用者がステッパー本体１上の右側ペダル２６を踏む時、ペダル２６前端の枢転管２４は、Y字型支承の傾斜接管１５２を軸心とし、傾斜接管１５２はY字型傾斜角度を呈する設計であるため（公知のペダルは、水平接管枢設であるゆえ、上下垂直にしか動かない）、ペダル２６は左側斜め下に枢転すると共に、ペダル２６下端の頂推ブロック４２を帯動して、抵棒１４を抵推し、抵棒１４は転動ブロックを帯動して、アーチ型スロット１３１が、定位軸心の円弧スウィングシフトし（図５で示される）、ステッパー本体１上のペダル２６は、左右斜め向きにスウィングする設計であるので、ペダルを利用した腿部のエクササイズ以外に、使用者は、腰部の適時スウィング運動で、身体のバランスを維持しながら、腰、臀部のエクササイズが実行できる。
【００２６】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、図７で示されるように、中空管１３内に、組み立て、取り外し可能な調整可能式握持機構６０を鎖固し、その上にハンドル６１を設けることもでき、本考案明の保護範囲は、実用新案請求の範囲で指定した内容を基準とする。
【図面の簡単な説明】
【００２７】
【図１】本考案の素子分解図である。
【図２】本考案の外観図である。
【図３】図２の局部拡大図である。
【図４】本考案のペダルを踏んだ後の、異なる角度を示す図である。
【図５】本考案のペダルを踏んだ後の、異なる角度を示す図である。
【図６】本考案のペダルを踏んだ後の、異なる角度を示す図である。
【図７】本考案の第二実施例を示す外観図である。
【符号の説明】
【００２８】
１…ステッパー本体
１０…第一台座
１１…第二台座      
１１１…ベース柱
１１１２…横棒
１１１３…環形溝
１３…中空管
１３１…アーチ型スロット
１３２…貫通孔
１３３…蓋体
１４…抵棒
１５…枢管
１５１…水平棒
１５２…傾斜接管
２１…テーパリング
２２…第一承接リング
２３…第二承接リング
２４…枢転管
２５…C字型フック
２６…ペダル
２７…T字型ビス
３０…シリンダ
３１…「コ」の字型フレーム
３１１…径向孔
３２…「コ」の字型フレーム
３２１…軸向孔
３３…環形フック
４１…連接棒
４２…頂推ブロック
６０…調整可能式握持機構
６１…ハンドル
【図１】
0003107453.tif 000003
【図２】
0003107453.tif 000004
【図３】
0003107453.tif 000005
【図４】
0003107453.tif 000006
【図５】
0003107453.tif 000007
【図６】
0003107453.tif 000008
【図７】
0003107453.tif 000009